【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
ネットワーク上でデータを伝送する方法であって、
デバイスにおいてデータパケットを受信する段階であって、前記デバイスは集積回路およびアプリケーションプログラミングインターフェース（ＡＰＩ）を含み、前記ＡＰＩはさらに、前記データパケットがソフトウェアアプリケーションとインターフェースすることを可能にする、段階と、
前記集積回路によって前記データパケットを認証する段階と、
前記集積回路によって固定セルフレーム内に前記データパケットをカプセル化する段階と、
前記集積回路によって前記ネットワークに前記固定セルフレームを伝送する段階であって、前記固定セルフレームは時分割多重アクセス（ＴＤＭＡ）フレームである、段階と、
を備える、方法。
【請求項２】
前記ソフトウェアアプリケーションが、前記データパケットの認証および暗号化のための、実行可能なソフトウェアコードを提供し、前記実行可能なソフトウェアコードは前記集積回路によって実行される、請求項１に記載の方法。
【請求項３】
前記集積回路は、高速デジタル変復調器と結合される、請求項１または２に記載の方法。
【請求項４】
前記集積回路は、クロックおよび同期モジュールと結合される、請求項１から３のいずれか一項に記載の方法。
【請求項５】
前記集積回路は、ネットワーク管理モジュールと結合される、請求項１から４のいずれか一項に記載の方法。
【請求項６】
前記集積回路は、無線周波数（ＲＦ）ミリメートル波を伝送および受信するように構成された送受信器に結合される、請求項１から５のいずれか一項に記載の方法。
【請求項７】
前記ＲＦミリメートル波は、３０ＧＨｚと３３００ＧＨｚの間の周波数を有する、請求項６に記載の方法。
【請求項８】
前記ＲＦミリメートル波は、ジャイロ進行波増幅器とＲＦミリメートルアンテナ中継器増幅器との間で伝送される、請求項６または７に記載の方法。
【請求項９】
ネットワーク上でデータを伝送する集積回路であって、
ソフトウェアアプリケーションを格納するように構成されたメモリと、
前記ソフトウェアアプリケーションへのデータアクセスを可能にするように構成されたアプリケーションプログラミングインターフェース（ＡＰＩ）と、
クロックおよび同期モジュールと、
ネットワーク管理モジュールと、
無線周波数（ＲＦ）ミリメートル波を伝送および受信するように構成された送受信器と、を備え、
前記集積回路は、前記送受信器を介してデータパケットを受信するように構成され、前記ソフトウェアアプリケーションを使用して固定セルフレーム内に前記データパケットをカプセル化するようにさらに構成され、前記ソフトウェアアプリケーションは前記ＡＰＩを使用して前記データパケットによりアクセスされ、前記ソフトウェアアプリケーションは前記データパケットを認証するように構成される、
集積回路。
【請求項１０】
前記ＲＦミリメートル波は、３０ＧＨｚと３３００ＧＨｚの間の周波数を有する、請求項９に記載の集積回路。
【請求項１１】
前記送受信器は、前記ネットワークに前記固定セルフレームを伝送するようにさらに構成される、請求項９または１０に記載の集積回路。
【請求項１２】
前記送受信器は、ジャイロ進行波増幅器とＲＦミリメートルアンテナ中継器増幅器との間で前記ＲＦミリメートル波を伝送するようにさらに構成される、請求項９から１１のいずれか一項に記載の集積回路。
【手続補正２】
【補正対象書類名】明細書
【補正対象項目名】０８３５
【補正方法】変更
【補正の内容】
【０８３５】
本開示の趣旨および範囲から逸脱することなく、本開示にさまざまな変更を行うことができることは当業者には明らかであり、かつしたがって、本開示は、本明細書に具体的に開示されたもの以外の実施形態を包含するが、添付の特許請求の範囲に示されている場合のみとする。
［項目１］
高速で大容量の専用のバイラル分子ネットワークを作成するための方法であって、
周回時間スロットデジタル信号を暗号化することと、
上記暗号化された周回時間スロットデジタル信号を時分割多元接続（ＴＤＭＡ）フレーム内に入れて、ＴＤＭＡ信号を作成することと、を含む、方法。
［項目２］
無線周波数（ＲＦ）信号を形成するように、上記ＴＤＭＡ信号をアップコンバートすることをさらに含む、項目１に記載の方法。
［項目３］
上記アップコンバートすることが、上記ＲＦ信号を形成するように、上記ＴＤＭＡ信号を高速デジタル信号で変調することを含む、項目２に記載の方法。
［項目４］
上記ＲＦ信号からミリメートル波ＲＦ信号を作成することをさらに含む、項目２または３に記載の方法。
［項目５］
上記ミリメートル波ＲＦ信号を上記作成することが、３０ＧＨｚ〜３，３００ＧＨｚのＲＦ周波数を有する上記ミリメートル波ＲＦ信号を作成することを含む、項目４に記載の方法。
［項目６］
上記ミリメートル波ＲＦ信号を上記作成することが、上記ＲＦ信号をアップコンバートおよび増幅することを含む、項目４または５に記載の方法。
［項目７］
上記ミリメートル波ＲＦ信号を上記作成することが、上記ミリメートル波ＲＦ信号を伝送することを含む、項目５または６に記載の方法。
［項目８］
上記伝送されたミリメートル波ＲＦ信号を受信することをさらに含む、項目７に記載の方法。
［項目９］
上記伝送されたミリメートル波ＲＦ信号を上記受信することが、上記伝送されたミリメートル波ＲＦ信号をダウンコンバートすることを含む、項目８に記載の方法。
［項目１０］
上記伝送されたミリメートル波ＲＦ信号を上記ダウンコンバートすることが、上記ＴＤＭＡ信号を上記高速デジタル信号で復調することを含む、項目９に記載の方法。
［項目１１］
上記ミリメートル波ＲＦ信号を上記伝送することが、ジャイロ進行波増幅器間で上記伝送されたミリメートル波ＲＦ信号を送受することを含む、項目７〜１０のいずれか一項に記載の方法。
［項目１２］
上記伝送されたミリメートル波ＲＦ信号を上記送受することが、高出力電力ジャイロ進行波増幅器間で上記伝送されたミリメートル波ＲＦ信号を送受することを含む、項目１１に記載の方法。
［項目１３］
上記伝送されたミリメートル波ＲＦ信号を上記送受することが、ジャイロ進行波管増幅器間で上記伝送されたミリメートル波ＲＦ信号を送受することを含む、項目１１または１２に記載の方法。
［項目１４］
ソフトウェアアプリケーションとのインターフェースのためのアプリケーションプログラミングインターフェース（ＡＰＩ）を提供することであって、上記ＡＰＩが、データの受信を容易にするように構成されている、提供すること、
上記受信されたデータを少なくとも１つの固定セルフレーム内にカプセル化すること、
上記少なくとも１つの固定セルフレームを処理すること、および
アト秒マルチプレクサを介して、少なくとも１つの処理された固定セルフレームを周回時間スロットに伝達すること、のうちの少なくとも１つをさらに含み、
上記周回時間スロットが、上記周回時間スロットデジタル信号を介して、上記固定セルフレームをテラビット／秒の速度で上記バイラル分子ネットワークに伝送するように構成される、先行する項目のいずれか一項に記載の方法。
［項目１５］
先行する項目のいずれか一項に記載の方法を実施するための手段を備える、高速で大容量の専用のバイラル分子ネットワークを作成するためのシステム。
［項目１６］
高速で大容量の専用バイラル分子ネットワークを作成するように構成された無線通信デバイスであって、上記デバイスが、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成された同期セルフレーミングプロトコルと、
上記固定セルフレームを処理するように構成されたアト秒マルチプレクサと、
アト秒マルチプレクサを介して、上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記周回時間スロットデジタル信号を暗号化するように構成された暗号化回路と、
上記暗号化された周回時間スロットデジタル信号を時分割多元接続（ＴＤＭＡ）フレーム内に入れて、それによって、ＴＤＭＡ信号を作成するように構成された時分割多元接続（ＴＤＭＡ）回路と、
無線周波数（ＲＦ）のアップコンバータとダウンコンバータとの間の高速デジタル信号で上記ＴＤＭＡ信号を変調および復調するように構成されたモデムと、
ミリメートル波ＲＦ信号を作成するように構成されたＲＦ増幅器と、
ミリメートル波ＲＦ信号を受信するように構成されたＲＦ受信器と、
高出力電力ジャイロ進行波増幅器の出力間でミリメートル波ＲＦ信号を送受するように構成されたミリメートル波アンテナと、を備える、デバイス。
［項目１７］
上記ミリメートル波ＲＦ信号が、３０ＧＨｚ〜３，３００ＧＨｚのＲＦ周波数を有する、項目１６に記載のデバイス。
［項目１８］
バイラル分子ネットワーク内で動作させるための方法であって、
データセルフレームを少なくとも１つの通信デバイスから受信器デバイスに接続することと、
上記データセルフレームを記憶し、読み取り、かつインターネットプロトコル（ＩＰ）アドレスにマッピングすることと、を含む、方法。
［項目１９］
データポートを上記通信デバイスおよび上記受信器デバイスと通信可能に連結することをさらに含む、項目１８に記載の方法。
［項目２０］
上記データポートが、光ファイバデータポートである、項目１８または１９に記載の方法。
［項目２１］
上記データセルフレームを上記接続することが、マッピング回路を介して、上記通信デバイスから上記受信器デバイスに上記データセルフレームを接続することを含み、上記データセルフレームを上記記憶し、読み取り、かつマッピングすることが、プロセッサを介して、上記データセルフレームを記憶し、読み取り、かつ上記ＩＰアドレスにマッピングすることを含み、上記マッピング回路、上記プロセッサ、および上記データポートが、共通のデータバスに連結される、項目１８〜２０のいずれか一項に記載の方法。
［項目２２］
３０ＧＨｚ〜３，３００ＧＨｚの周波数を有するミリメートル波無線周波数（ＲＦ）信号を伝送および受信するように上記データポートを構成することをさらに含む、項目１８〜２１のいずれか一項に記載の方法。
［項目２３］
項目１８〜２２のいずれか一項に記載の方法を実施するための手段を備える、バイラル分子ネットワーク内で動作させるためのシステム。
［項目２４］
バイラル分子ネットワーク内で動作させるための方法であって、
１．５ワット〜１０，０００ワットの範囲のミリメートル波ＲＦ信号を増幅および出力することと、
３０ＧＨｚ〜３，３３０ＧＨｚの周波数を有するミリメートル波無線周波数（ＲＦ）信号を増幅することと、を含む、方法。
［項目２５］
上記ミリメートル波ＲＦ信号を上記増幅および出力することが、高出力電力ジャイロ進行波増幅器を介して遂行される、項目２４に記載の方法。
［項目２６］
項目２４または２５に記載の方法を実施するための手段を備える、バイラル分子ネットワーク内で動作させるためのシステム。
［項目２７］
バイラル分子ネットワーク内で動作するように構成された増幅器であって、上記増幅器が、
１．５ワット〜１０，０００ワットの範囲のミリメートル波ＲＦ信号を増幅および出力するように構成され、かつさらに３０ＧＨｚ〜３，３３０ＧＨｚの周波数を有するミリメートル波無線周波数（ＲＦ）信号を増幅するように構成されたジャイロ進行波増幅器、を含む、増幅器。
［項目２８］
上記ジャイロ進行波増幅器が、高出力電力ジャイロ進行波増幅器を含む、項目２７に記載の増幅器。
［項目２９］
上記ジャイロ進行波増幅器が、ジャイロ進行波管増幅器を含む、項目２７または２８に記載の方法。
［項目３０］
バイラル分子ネットワーク内で動作させるための方法であって、
ミリメートルＲＦ信号アンテナ増幅器中継器を介して、３０ＧＨｚ〜３，３００ＧＨｚのＲＦ周波数を有するミリメートル波無線周波数（ＲＦ）信号を送受することと、
上記ミリメートル波ＲＦ信号アンテナ増幅器中継器を構造体に取り付けることと、を含む、方法。
［項目３１］
上記取り付けることが、上記ミリメートル波ＲＦ信号アンテナ増幅器中継器を上記構造体に壁取り付けによって取り付けるか、窓取り付けによって取り付けるか、パネル、カウンタ、表面、および他の構造体に使用されるオンおよびインガラス／プラスチック／木製、もしくは他のタイプの材料に取り付けるか、ドア取り付けによって取り付けるか、天井取り付けによって取り付けるか、またはそれらの組み合わせによって取り付けることを含む、項目３０に記載の方法。
［項目３２］
項目３０または３１に記載の方法を実施するための手段を備える、バイラル分子ネットワーク内で動作させるためのシステム。
［項目３３］
バイラル分子ネットワーク内で動作するミリメートルＲＦ信号アンテナ増幅器中継器であって、
３０ＧＨｚ〜３，３００ＧＨｚのＲＦ周波数を有するミリメートル波無線周波数（ＲＦ）信号を送受するように構成されたミリメートル波アンテナと、
上記アンテナを構造体に取り付けるように構成されたハードウェアと、を備え、上記ハードウェアが、壁取り付け型；パネル、カウンタ、表面、および他の構造体に使用されるオンおよびインガラス／プラスチック／木製、もしくは他のタイプの材料；窓取り付け型；ドア取り付け型；天井取り付型；またはそれらの組み合わせからなる群から選択される、ミリメートルＲＦ信号アンテナ増幅器中継器。
［項目３４］
バイラル分子ネットワーク内で動作させるための原子クロックおよび同期方法であって、
共有の原子発振クロックソースと同期させることと、
同期デジタル信号を発生させることと、を含み、上記デジタル信号が、クロック周波数およびデジタルタイミング信号のうちの少なくとも１つの制御を、
単位相ロック型ネットワークと、
上記バイラル分子ネットワークに接続されたコンピューティングおよび通信デバイスと、
ジャイロ進行波増幅器と、
光ファイバ端末、および各光ファイバ端末に連結されたそれぞれの発振回路と、に拡張するように構成される、方法。
［項目３５］
上記同期デジタル信号を上記発生させることが、クロック周波数およびデジタルタイミング信号のうちの少なくとも１つの制御を高出力電力ジャイロ進行波増幅器に拡張するように構成される上記同期デジタル信号を発生させることを含む、項目３４に記載の方法。
［項目３６］
上記同期デジタル信号を上記発生させることが、クロック周波数およびデジタルタイミング信号のうちの少なくとも１つの制御をジャイロ進行波管増幅器に拡張するように構成される上記同期デジタル信号を発生させることを含む、項目３４または３５に記載の方法。
［項目３７］
上記同期デジタル信号を上記発生させることが、クロック周波数およびデジタルタイミング信号のうちの少なくとも１つの制御を、デバイスおよび集積回路チップのうちの少なくとも１つに拡張するように構成される上記同期デジタル信号を発生させることを含む、項目３４〜３６のいずれか一項に記載の方法。
［項目３８］
上記同期デジタル信号を上記発生させることが、クロック周波数およびデジタルタイミング信号のうちの少なくとも１つの制御を、高速で大容量の専用バイラル分子ネットワークを作成するように構成された無線通信デバイスに拡張するように構成される上記同期デジタル信号を発生させることを含み、上記無線通信デバイスが、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成された同期セルフレーミングプロトコルと、
上記固定セルフレームを処理するように構成されたアト秒マルチプレクサと、
アト秒マルチプレクサを介して、上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記周回時間スロットデジタル信号を暗号化するように構成された暗号化回路と、
上記暗号化された周回時間スロットデジタル信号を時分割多元接続（ＴＤＭＡ）フレーム内に入れて、それによって、ＴＤＭＡ信号を作成するように構成されたＴＤＭＡ回路と、
無線周波数（ＲＦ）のアップコンバータとダウンコンバータとの間の高速デジタル信号で上記ＴＤＭＡ信号を変調および復調するように構成されたモデムと、
ミリメートル波ＲＦ信号を作成するように構成されたＲＦ増幅器と、
ミリメートル波ＲＦ信号を受信するように構成されたＲＦ受信器と、
高出力電力ジャイロ進行波増幅器の出力間でミリメートル波ＲＦ信号を送受するように構成されたミリメートル波アンテナと、を備える、項目３７に記載の方法。
［項目３９］
上記同期デジタル信号を上記発生させることが、クロック周波数およびデジタルタイミング信号のうちの少なくとも１つの制御を、高速で大容量の専用バイラル分子ネットワークを作成するように構成された集積回路チップに拡張するように構成される上記同期デジタル信号を発生させることを含み、上記デバイスが、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成された同期セルフレーミングプロトコルと、
上記固定セルフレームを処理するように構成されたアト秒マルチプレクサと、
アト秒マルチプレクサを介して、上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記周回時間スロットデジタル信号を暗号化するように構成された暗号化回路と、
上記暗号化された周回時間スロットデジタル信号を時分割多元接続（ＴＤＭＡ）フレーム内に入れて、それによって、ＴＤＭＡ信号を作成するように構成されたＴＤＭＡ回路と、
無線周波数（ＲＦ）のアップコンバータとダウンコンバータとの間の高速デジタル信号で上記ＴＤＭＡ信号を変調および復調するように構成されたモデムと、
ミリメートル波ＲＦ信号を作成するように構成されたＲＦ増幅器と、
ミリメートル波ＲＦ信号を受信するように構成されたＲＦ受信器と、
高出力電力ジャイロ進行波増幅器の出力間でミリメートル波ＲＦ信号を送受するように構成されたミリメートル波アンテナと、を備える、項目３７または３８に記載の方法。
［項目４０］
項目３４〜３９のいずれか一項に記載の方法を実施するための手段を備える、バイラル分子ネットワーク内で動作させるための原子クロックおよび同期システム。
［項目４１］
バイラル分子ネットワーク内で動作するように構成された原子クロックおよび同期システムであって、上記原子クロックおよび同期システムが、
原子発振器と、
クロック信号配信システムと、
共通の原子発振クロックソースに同期するように構成されたデジタル伝送層と、
同期デジタル信号を発生させるように構成されたプロセッサと、を備え、上記デジタル信号が、クロック周波数およびデジタルタイミング信号のうちの少なくとも１つの制御を、
単位相ロック型ネットワークと、
ジャイロ進行波増幅器と、
光ファイバ端末、および各光ファイバ端末に連結されたそれぞれの発振回路と、に拡張するように構成される、システム。
［項目４２］
上記ジャイロ進行波増幅器が、高出力電力ジャイロ進行波増幅器を含む、項目４１に記載のシステム。
［項目４３］
上記ジャイロ進行波増幅器が、ジャイロ進行波管増幅器を含む、項目４１または４２に記載のシステム。
［項目４４］
上記デジタル信号が、クロック周波数およびデジタルタイミング信号のうちの少なくとも１つの制御を、高速で大容量の専用バイラル分子ネットワークを作成するように構成された無線通信デバイスに拡張するように構成され、上記無線通信デバイスが、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成された同期セルフレーミングプロトコルと、
上記固定セルフレームを処理するように構成されたアト秒マルチプレクサと、
アト秒マルチプレクサを介して、上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記周回時間スロットデジタル信号を暗号化するように構成された暗号化回路と、
上記暗号化された周回時間スロットデジタル信号を時分割多元接続（ＴＤＭＡ）フレーム内に入れて、それによって、ＴＤＭＡ信号を作成するように構成されたＴＤＭＡ回路と、
無線周波数（ＲＦ）のアップコンバータとダウンコンバータとの間の高速デジタル信号で上記ＴＤＭＡ信号を変調および復調するように構成されたモデムと、
ミリメートル波ＲＦ信号を作成するように構成されたＲＦ増幅器と、
ミリメートル波ＲＦ信号を受信するように構成されたＲＦ受信器と、
高出力電力ジャイロ進行波増幅器の出力間でミリメートル波ＲＦ信号を送受するように構成されたミリメートル波アンテナと、を備える、項目４１〜４３のいずれか一項に記載のシステム。
［項目４５］
上記デジタル信号が、クロック周波数およびデジタルタイミング信号のうちの少なくとも１つの制御を、高速で大容量の専用バイラル分子ネットワークを作成するように構成された集積回路チップに拡張するように構成され、上記デバイスが、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成された同期セルフレーミングプロトコルと、
上記固定セルフレームを処理するように構成されたアト秒マルチプレクサと、
アト秒マルチプレクサを介して、上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記周回時間スロットデジタル信号を暗号化するように構成された暗号化回路と、
上記暗号化された周回時間スロットデジタル信号を時分割多元接続（ＴＤＭＡ）フレーム内に入れて、それによって、ＴＤＭＡ信号を作成するように構成されたＴＤＭＡ回路と、
無線周波数（ＲＦ）のアップコンバータとダウンコンバータとの間の高速デジタル信号で上記ＴＤＭＡ信号を変調および復調するように構成されたモデムと、
ミリメートル波ＲＦ信号を作成するように構成されたＲＦ増幅器と、
ミリメートル波ＲＦ信号を受信するように構成されたＲＦ受信器と、
高出力電力ジャイロ進行波増幅器の出力間でミリメートル波ＲＦ信号を送受するように構成されたミリメートル波アンテナと、を備える、項目４１〜４４のいずれか一項に記載のシステム。
［項目４６］
バイラル分子ネットワーク内で動作するように構成されたネットワーク管理方法であって、３０ＧＨｚ〜３，３００ＧＨｚの周波数を有するミリメートル波無線周波数（ＲＦ）信号で動作する複数のデバイスの動作ステータスを分析することを含む、ネットワーク管理方法。
［項目４７］
項目４６に記載の方法を実施するための手段を備える、バイラル分子ネットワーク内で動作させるためのネットワーク管理システム。
［項目４８］
バイラル分子ネットワーク内で動作するように構成されたネットワーク管理システムであって、上記ネットワーク管理システムが、３０ＧＨｚ〜３，３００ＧＨｚの周波数を有するミリメートル波無線周波数（ＲＦ）信号で動作する複数のデバイスの動作ステータスを分析するように構成されたプロセッサを備える、ネットワーク管理システム。
［項目４９］
高速で大容量の専用のバイラル分子ネットワークを作成するための方法であって、
データの受信を容易にするためのアプリケーションプログラミングインターフェース（ＡＰＩ）を提供すること、
上記受信されたデータを変調することと、
上記変調されたデータからミリメートル波ＲＦ信号を作成することと、
上記ネットワーク内の高電力ジャイロ進行波増幅器で上記ミリメートル波ＲＦ信号を送受することと、を含む、方法。
［項目５０］
上記ミリメートル波ＲＦ信号を上記作成することが、３０ＧＨｚ〜３，３００ＧＨｚのＲＦ周波数を有する上記ミリメートル波ＲＦ信号を作成することを含む、項目４９に記載の方法。
［項目５１］
上記ミリメートル波ＲＦ信号を上記作成することが、上記ミリメートル波ＲＦ信号を伝送することを含む、項目４９または５０に記載の方法。
［項目５２］
上記伝送されたミリメートル波ＲＦ信号を受信することをさらに含む、項目５１に記載の方法。
［項目５３］
上記受信されたミリメートル波ＲＦ信号を復調することをさらに含む、項目５２に記載の方法。
［項目５４］
上記受信されたデータを少なくとも１つの固定セルフレーム内にカプセル化すること、
上記少なくとも１つの固定セルフレームを処理すること、および
少なくとも１つの処理された固定セルフレームを周回時間スロットに伝達すること、のうちの少なくとも１つをさらに含み、
上記周回時間スロットが、上記周回時間スロットデジタル信号を介して、上記固定セルフレームをテラビット／秒の速度で上記バイラル分子ネットワークに伝送するように構成される、項目４９〜５３のいずれか一項に記載の方法。
［項目５５］
上記少なくとも１つの固定セルフレームを暗号化することをさらに含む、項目５４に記載の方法。
［項目５６］
上記受信されたデータを暗号化することをさらに含む、項目５４または５５に記載の方法。
［項目５７］
上記受信されたデータを上記暗号化することが、エンドユーザアプリケーションデータを暗号化することを含む、項目５６に記載の方法。
［項目５８］
上記ＡＰＩを上記提供することが、ソフトウェアアプリケーションとインターフェースするための上記ＡＰＩを提供することを含む、項目４９〜５７のいずれか一項に記載の方法。
［項目５９］
項目４９〜５８のいずれか一項に記載の方法を実施するための手段を備える、高速で大容量の専用のバイラル分子ネットワークを作成するためのシステム。
［項目６０］
高速で大容量の専用バイラル分子ネットワークを作成するように構成された無線通信デバイスであって、上記デバイスが、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成されたセルフレーミングプロトコルと、
上記固定セルフレームを処理するように構成されたアト秒マルチプレクサと、
上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記データを変調および復調するモデムと、
ミリメートル波ＲＦ信号を作成するように構成されたＲＦ増幅器と、
ミリメートル波ＲＦ信号を受信するように構成されたＲＦ受信器と、
上記ネットワーク内の高電力ジャイロ進行波増幅器間でミリメートル波ＲＦ信号を送受するように構成されたミリメートル波アンテナと、を備える、無線通信デバイス。
［項目６１］
上記ミリメートル波ＲＦ信号が、３０ＧＨｚ〜３，３００ＧＨｚのＲＦ周波数を有する、項目６０に記載のデバイス。
［項目６２］
エンドユーザアプリケーションデータ、上記受信されたデータ、および上記セルフレームのうちの少なくとも１つを暗号化するように構成された暗号化システムをさらに備える、項目６０または６１に記載のデバイス。
［項目６３］
高速で大容量の専用バイラル分子ネットワークでのデータ通信を容易にするための方法であって、
上記ネットワーク内の高電力ジャイロ進行波増幅器に第１のミリメートル波ＲＦ信号を伝送することと、
上記高電力ジャイロ進行波増幅器から第２のミリメートル波ＲＦ信号を受信することと、を含む、方法。
［項目６４］
上記第１のミリメートル波ＲＦ信号を上記伝送することが、３０ＧＨｚ〜３，３００ＧＨｚのＲＦ周波数を有する上記第１のミリメートル波ＲＦ信号を伝送することを含む、項目６３に記載の方法。
［項目６５］
上記第１のミリメートル波ＲＦ信号を上記伝送することが、上記第１のミリメートル波ＲＦ信号を変調することを含む、項目６３または６４に記載の方法。
［項目６６］
上記第２のミリメートル波ＲＦ信号を上記受信することが、３０ＧＨｚ〜３，３００ＧＨｚのＲＦ周波数を有する上記第２のミリメートル波ＲＦ信号を受信することを含む、項目６３〜６５のいずれか一項に記載の方法。
［項目６７］
上記第２のミリメートル波ＲＦ信号を上記受信することが、上記第２のミリメートル波ＲＦ信号を復調することを含む、項目６３〜６６のいずれか一項に記載の方法。
［項目６８］
受信されたデータを少なくとも１つの固定セルフレーム内にカプセル化すること、
上記少なくとも１つの固定セルフレームを処理すること、および
少なくとも１つの処理された固定セルフレームを周回時間スロットに伝達すること、のうちの少なくとも１つをさらに含み、
上記周回時間スロットが、上記周回時間スロットデジタル信号を介して、上記固定セルフレームをテラビット／秒の速度で上記バイラル分子ネットワークに伝送するように構成される、項目６３〜６７のいずれか一項に記載の方法。
［項目６９］
上記少なくとも１つの固定セルフレームを暗号化することをさらに含む、項目６８に記載の方法。
［項目７０］
上記第１のミリメートル波ＲＦ信号を上記伝送することが、上記受信されたデータを変調して、上記第１のミリメートル波ＲＦ信号を作成することを含む、項目６８または６９に記載の方法。
［項目７１］
上記第２のミリメートル波ＲＦ信号を上記受信することが、上記受信されたデータを復調することを含む、項目６８〜７０のいずれか一項に記載の方法。
［項目７２］
項目６３〜７１のいずれか一項に記載の方法を実施するための手段を備える、高速で大容量の専用バイラル分子ネットワーク上でのデータ通信を容易にするためのシステム。
［項目７３］
高速で大容量の専用バイラル分子ネットワーク上でのデータ通信を容易にするように構成された集積回路チップであって、
データを少なくとも１つの固定セルフレーム内にカプセル化するように構成されたセルフレーミングプロトコルと、
上記固定セルフレームを処理するように構成されたアト秒マルチプレクサと、
上記固定セルフレームを周回時間スロットに伝達するように構成されたデータバスと、
上記データを変調および復調するモデムと、
上記ネットワーク内の高電力ジャイロ進行波増幅器と通信するミリメートル波ＲＦ信号を伝送および受信するように構成された無線周波数（ＲＦ）アップ／ダウンコンバータ、増幅器、および受信器と、を備え、
上記ミリメートル波ＲＦ信号が、３０ＧＨｚ〜３，３００ＧＨｚのＲＦ周波数を有する、集積回路チップ。
［項目７４］
エンドユーザアプリケーションデータ、上記データ、および上記セルフレームのうちの少なくとも１つを暗号化するように構成された暗号化システムをさらに備える、項目７３に記載の集積回路チップ。
［項目７５］
バイラル分子ネットワーク内で動作させるための方法であって、
高電力ミリメートルＲＦ信号を受信することと、
上記受信された高電力ミリメートルＲＦ信号を増幅することと、を含み、
上記受信することおよび上記増幅することが、ジャイロ進行波増幅器を介して遂行される、方法。
［項目７６］
上記増幅された高電力ミリメータＲＦ信号を出力することをさらに含む、項目７５に記載の方法。
［項目７７］
上記増幅された高電力ミリメータＲＦ信号を上記出力することが、ジャイロ進行波増幅器を介して、上記増幅された高電力ミリメータＲＦ信号を出力することを含む、項目７６に記載の方法。
［項目７８］
上記高電力ミリメータＲＦ信号を上記受信することが、３０ＧＨｚ〜３，３００ＧＨｚのＲＦ周波数を有する上記高電力ミリメータＲＦ信号を受信することを含む、項目７５〜７７のいずれか一項に記載の方法。
［項目７９］
項目７５〜７８のいずれか一項に記載の方法を実施するための手段を備える、バイラル分子ネットワーク内で動作させるためのシステム。
［項目８０］
バイラル分子ネットワーク内で動作するように構成された増幅器であって、上記増幅器が、
３０ＧＨｚ〜３，３３０ＧＨｚのＲＦ周波数を有する高電力ミリメートルＲＦ信号を受信、増幅、および出力するように構成されたジャイロ進行波増幅器を備える、増幅器。
［項目８１］
バイラル分子ネットワーク内での原子クロックおよび同期のための方法であって、
上記ネットワーク内の複数のデバイスの回路構成周波数を同期させることと、
上記デバイスの上記回路構成周波数を制御することと、を含む、方法。
［項目８２］
項目８１に記載の方法を実施するための手段を備える、バイラル分子ネットワーク内での原子クロックおよび同期のためのシステム。
［項目８３］
バイラル分子ネットワーク内で動作して、上記ネットワーク内のすべてのデバイスおよびシステムのデジタルおよびアナログ回路構成周波数のすべてを同期および制御するように構成された原子クロックおよび同期システム。
［項目８４］
バイラル分子ネットワーク内でミリメートルＲＦ信号アンテナ増幅器中継器を動作させるための方法であって、
上記ミリメートルＲＦ信号アンテナ増幅器中継器を提供することと、
上記ミリメートルＲＦ信号アンテナ増幅器中継器を構造体に取り付けることと、を含む、方法。
［項目８５］
上記ミリメートルＲＦ信号アンテナ増幅器中継器を上記取り付けることが、上記ミリメートルＲＦ信号アンテナ増幅器中継器を上記構造体に壁取り付けによって取り付けるか、窓取り付けによって取り付けるか、パネル、カウンタ、表面、および他の構造体に使用されるオンおよびインガラス／プラスチック／木製、もしくは他のタイプの材料に取り付けるか、ドア取り付けによって取り付けるか、天井取り付けによって取り付けるか、またはそれらの組み合わせによって取り付けることを含む、項目８４に記載の方法。
［項目８６］
上記ミリメートルＲＦ信号アンテナ増幅器中継器を上記提供することが、３０ＧＨｚ〜３，３００ＧＨｚのＲＦ周波数を有するＲＦ信号を受信する上記ミリメートルＲＦ信号アンテナ増幅器中継器を提供することを含む、項目８４または８５に記載の方法。
［項目８７］
項目８４〜８６のいずれか一項に記載の方法を実施するための手段を備える、バイラル分子ネットワーク内でミリメートルＲＦ信号アンテナ増幅器中継器を動作させるためのシステム。
［項目８８］
３０ＧＨｚ〜３，３００ＧＨｚのＲＦ周波数を有するミリメートル波無線周波数（ＲＦ）信号を送受する、バイラル分子ネットワーク内で動作する、壁取り付け型；窓取り付け型；パネル、カウンタ、表面、および他の構造体に使用されるオンおよびインガラス／プラスチック／木製、もしくは他のタイプの材料；ドア取り付け型；ならびに天井取り付け型のミリメートルＲＦ信号アンテナ増幅器中継器。
［項目８９］
高速で大容量の専用バイラル分子ネットワークを作成するように構成された集積回路チップであって、
上記デバイスに通信可能に連結されたソフトウェアアプリケーションとインターフェースするように構成されているアプリケーションプログラミングインターフェース（ＡＰＩ）であって、上記ＡＰＩが、データの受信を容易にするように構成されている、アプリケーションプログラミングインターフェースと、
上記データを少なくとも１つの固定セルフレーム内にカプセル化するように構成された同期セルフレーミングプロトコルと、
上記固定セルフレームを処理するように構成されたアト秒マルチプレクサと、
アト秒マルチプレクサを介して、上記固定セルフレームを周回時間スロットに伝達するように構成されたデータバスであって、上記周回時間スロットが、周回時間スロットデジタル信号を介して、上記固定セルフレームをテラビット／秒の速度で上記バイラル分子ネットワークに伝送するように構成されている、データバスと、
位相ロックループ回路構成を有するローカル発振器と、
上記周回時間スロットデジタル信号を暗号化するように構成された暗号化回路と、
上記暗号化された周回時間スロットデジタル信号を時分割多元接続（ＴＤＭＡ）フレーム内に入れて、それによって、ＴＤＭＡ信号を作成するように構成されたＴＤＭＡ回路と、
無線周波数（ＲＦ）のアップコンバータとダウンコンバータとの間の高速デジタル信号で上記ＴＤＭＡ信号を変調および復調するように構成されたモデムと、
ミリメートル波ＲＦ信号を作成するように構成されたＲＦ増幅器と、
ミリメートル波ＲＦ信号を受信するように構成されたＲＦ受信器と、
高出力電力ジャイロ進行波増幅器の出力間でミリメートル波ＲＦ信号を送受するように構成されたミリメートル波アンテナと、を備える、集積回路チップ。
［項目９０］
上記ミリメートル波ＲＦ信号が、３０ＧＨｚ〜３，３００ＧＨｚのＲＦ周波数を有する、項目８９に記載のデバイス。